(57)【特許請求の範囲】
【請求項１】
被検体を伝搬した音響波を受信して素子信号を出力する複数の素子を含む探触子と、
前記複数の素子のうち少なくとも２つの素子が出力した素子信号の間の位相ずれを、当該素子信号間の相関を取ることにより演算し、演算の結果を用いて、素子信号を受信した素子とは異なる探触子上の位置で受信されるべき音響波に対応する疑似信号を生成する疑似信号生成部と、
前記複数の素子が出力した素子信号と前記疑似信号に基づいて被検体情報を取得する信号処理部と、
を有することを特徴とする被検体情報取得装置。
【請求項２】
前記疑似信号生成部は、前記演算の結果を用いて位相ずれの時間および疑似信号の形状を決定することにより、前記疑似信号を生成する
ことを特徴とする請求項１に記載の被検体情報取得装置。
【請求項３】
前記信号処理部は、前記複数の素子信号と前記疑似信号を用いて整相加算を行うことにより被検体情報を取得する
ことを特徴とする請求項１または２に記載の被検体情報取得装置。
【請求項４】
前記信号処理部は、前記複数の素子信号と前記疑似信号を用いて逆投射を行うことにより被検体情報を取得する
ことを特徴とする請求項１または２に記載の被検体情報取得装置。
【請求項５】
前記探触子は、素子の間に所定の間隔があるスパースアレイ探触子であり、前記探触子上の疑似信号を生成する位置とは、前記素子の間の間隔である
ことを特徴とする請求項１ないし４のいずれか１項に記載の被検体情報取得装置。
【請求項６】
前記探触子上の疑似信号を生成する位置とは、前記複数の素子のうち、感度が所定の閾値以下である素子の位置である
ことを特徴とする請求項１ないし４のいずれか１項に記載の被検体情報取得装置。
【請求項７】
前記探触子における前記複数の素子の感度が記録されているメモリをさらに有し、
前記疑似信号生成部は、前記メモリに記録された素子の感度に基づいて、当該素子が、前記感度が所定の閾値以下である素子かどうかを判断する
ことを特徴とする請求項６に記載の被検体情報取得装置。
【請求項８】
前記疑似信号生成部は、前記探触子上の疑似信号を生成する位置を挟む位置に配置された素子が出力した素子信号を用いて疑似信号を生成する
ことを特徴とする請求項１ないし７のいずれか１項に記載の被検体情報取得装置。
【請求項９】
前記探触子は素子が２次元配列された探触子である
ことを特徴とする請求項１ないし８のいずれか１項に記載の被検体情報取得装置。
【請求項１０】
前記探触子は素子が１次元配列された探触子である
ことを特徴とする請求項１ないし８のいずれか１項に記載の被検体情報取得装置。
【請求項１１】
前記被検体を伝搬した音響波とは、被検体に光が照射されたときに、被検体の中の光吸収体から発生する光音響波である
ことを特徴とする請求項１ないし１０のいずれか１項に記載の被検体情報取得装置。
【請求項１２】
前記被検体を伝搬した音響波とは、被検体に音響波が送信されたときに、被検体の中の音響散乱体により反射された音響波である
ことを特徴とする請求項１ないし１０のいずれか１項に記載の被検体情報取得装置。
【発明の詳細な説明】
【技術分野】
【０００１】
本発明は被検体情報取得装置に関する。
【背景技術】
【０００２】
超音波（音響波）を利用して被検査物（被検体）の内部を画像化する装置として、例えば医療診断に用いられる光音響診断装置が提案されている。光音響診断装置は、レーザーパルス光を被検体に照射し、被検体内の組織が照射光のエネルギーを吸収した結果生じる光音響波に基づき被検査物内を画像化する装置である。そして被検体をとり囲む複数の個所で受信された音響波の時間変化を検出し、得られた信号を数学的に解析処理、すなわち画像再構成することで、被検体内部の光学特性値に関連した情報を２次元や３次元に可視化する装置である。
【０００３】
このような被検体内からの超音波を画像化する装置においては、超音波の受信センサとして超音波探触子が採用されており、一般的な光音響診断装置においては複数の素子を持つ超音波探触子によって複数の場所から光音響波を同時に受信している。しかしながら複数の受信素子を持つ超音波探触子のいくつかの素子が動作不良を起こした場合や、スパースアレイ探触子のように意図的に素子間に抜けがある場合、取得信号に空間的抜けが発生する。
【０００４】
この信号の空間的抜けをもつ複数信号データを用い画像再構成を行うと、取得画像にアーチファクトが現れ、劣化が見られることが分かっている。このように信号データが空間的に抜けている場合、例えば、特許文献１では、近隣の素子信号を単に平均して新しい疑似信号を生成し、その疑似信号で信号抜けを補間する方法が提案されている。
【先行技術文献】
【特許文献】
【０００５】
【特許文献１】特開２００３−１３５４６１号公報
【発明の概要】
【発明が解決しようとする課題】
【０００６】
しかしながら、上記特許文献１に記載の方法では、空間的な信号の抜けを近隣の素子からの素子信号を単に平均した信号で補間している。そのため、隣接している素子の信号と、抜けている素子位置において得られるだろう信号間に時間的ずれが大きい場合には、隣接している信号をもとに作られた新しい補間信号は、図７中の実線のような信号になる。その結果、実際に素子抜け位置に到達する図７中の破線のような信号の形状を十分に再現できないという問題があった。
【０００７】
本発明は上記の課題に鑑みてなされたものであり、探触子上の素子抜け位置に素子があると仮定した場合に受信されるだろう疑似信号を生成するための技術を提供することを目的とする。
【課題を解決するための手段】
【０００８】
本発明は以下の構成を採用する。すなわち、被検体を伝搬した音響波を受信して素子信号を出力する複数の素子を含む探触子と、前記複数の素子のうち少なくとも２つの素子が出力した素子信号の間の位相ずれを、当該素子信号間の相関を取ることにより演算し、演算の結果を用いて、素子信号を受信した素子とは異なる探触子上の位置で受信されるべき音響波に対応する疑似信号を生成する疑似信号生成部と、前記複数の素子が出力した素子信号と前記疑似信号に基づいて被検体情報を取得する信号処理部と、を有することを特徴とする被検体情報取得装置である。
【発明の効果】
【０００９】
本発明によれば、探触子上の素子抜け位置に素子があると仮定した場合に受信されるだろう疑似信号を生成するための技術を提供することができる。
【図面の簡単な説明】
【００１０】
【図１】本発明の光音響診断装置の構成を示すブロック図。
【図２】本発明に用いられる探触子の概略図。
【図３】生成された疑似信号とその信号の元になった信号の形状を示す図。
【図４】本発明の超音波装置の構成を示すブロック図。
【図５】スパースアレイ探触子を用いて取得した吸収係数分布を示す図。
【図６】動作不良素子を持つ探触子を用いて取得した吸収係数分布を示す図。
【図７】従来技術で疑似信号を生成する際の説明の図。
【発明を実施するための形態】
【００１１】
以下、図面を参照して、光音響診断装置を例として本発明の被検体情報取得装置の実施形態を説明する。以下の説明では、光音響波の典型として超音波を取り上げる。本発明の被検体情報取得装置は、被検体に超音波を送信し、被検体内部で反射した反射波（反射した超音波）を受信して、被検体情報を画像データあるいは数値データとして取得する超音波エコー技術を利用した装置を含む。被検体情報取得装置はまた、被検体に光（電磁波）を照射することにより被検体内で発生した音響波（典型的には超音波）を受信して、被検体情報を画像データあるいは数値データとして取得する光音響効果を利用した装置を含む。
【００１２】
前者の超音波エコー技術を利用した装置の場合、取得される被検体情報とは、被検体内部の組織の音響インピーダンスの違いを反映した情報である。後者の光音響効果を利用した装置の場合、取得される被検体情報とは、光照射によって生じた音響波の発生源分布、被検体内の初期圧力分布、初期圧力分布から導かれる光エネルギー吸収密度分布、吸収係数分布、組織を構成する物質の濃度分布を示す。あるいは、被検体内にある光吸収体の吸収係数値や濃度値等を示す。物質の濃度分布とは、例えば、酸素飽和度分布や酸化・還元ヘモグロビン濃度分布などである。
【００１３】
（光音響診断装置の動作）
図１は、本実施例に係る光音響診断装置の構成を示すブロック図である。図１に示すように、本実施例に係る光音響診断装置は、対象となる被検体２にレーザー光源１からのパルス光を照射する。パルス光は被検体２内の光吸収体３に吸収され、超音波（音響波）である光音響波４が発生する。発生した光音響波４は被検体を伝搬し、超音波探触子５に含まれる複数の素子によって電気信号（素子信号）に変換される。
【００１４】
電気信号は増幅、デジタル変換された後、疑似信号生成部８によって素子の抜け部分が補間される。そして全ての信号が信号処理部１１によって画像再構成処理され、表示部１２によって画像表示される。以下、各ブロックについて詳述する。
【００１５】
（レーザー光源）
レーザー光源１はナノ秒オーダーのパルス光を発生するものであればよい。大出力を得るためにはレーザーが好ましいが、レーザーのかわりに発光ダイオードなどを用いることも可能である。レーザーとしては、固体レーザー、ガスレーザー、色素レーザー、半導体レーザーなど様々なレーザーを使用することができる。照射のタイミング、波形、強度などは不図示の光源制御部によって制御される。
【００１６】
（超音波探触子）
超音波探触子５は、音響波を検出する素子が面内方向に複数並べられている音響検出器であり、一度に複数の位置の信号を取得可能である。図２（ａ）は超音波探触子５の素子の一部分を示す。ここで、図２の白い部分には、正常に動作する動作素子があることを示す。また、網掛けの部分には動作素子がない、もしくは電極が接続されていないことを示す。図２（ａ）の超音波探触子５は、探触子上において、素子がある位置に隣接する位置には素子がない、スパースアレイ探触子である。
【００１７】
（メモリ）
メモリ９は、探触子上の各素子の位置、素子抜けの位置、および、素子位置と抜け位置の対応を記録する。素子の抜けとは、上記のようなスパースアレイ探触子の場合は、意図的に空間を空けて配置された素子の間の部分である。このような抜けの位置が、探触子上において疑似信号を生成する位置となる。すなわち、抜けの位置にもし素子があると仮定した場合に、その素子で受信できるだろう信号が、生成すべき疑似信号となる。また、素子が２次元配列や１次元配列された一般的な探触子の場合は、素子の抜けとは、探触子上の素子のうち、動作不良素子のことを指す。
【００１８】
なお、ある素子が動作不良素子であるかどうかは、素子の感度が所定の閾値以下であるかどうかにより判断できる。したがって、メモリ９には、素子が動作不良素子であるかどうかを記録しても良いし、素子の感度を記録して動作不良素子かどうかの判断材料としても良い。逆に、動作素子とは、素子の感度が所定の閾値より大きい素子と見ることができる。
【００１９】
（疑似信号生成部）
疑似信号生成部８には、超音波探触子５から出力された信号６、７（図２（ａ）であれば、それぞれＣＨ．１とＣＨ．３の動作素子に対応する信号）が入力される。疑似信号生成部８は、入力された信号６、７の位置と周辺の素子抜け位置をメモリ９から参照し、図２（ａ）に示すように、信号６、７に挟まれる素子の抜け位置（図２（ａ）であれば、ＣＨ．２）があるかを判断する。抜け位置がある場合は、信号６，７の相関を計算し、その結果を用いて抜け位置に疑似信号１０を生成する。
【００２０】
疑似信号は以下の手順で作られる。
疑似信号の時間ｔ０の信号を生成する場合を説明する。信号６、７の時間関数ｔをｆ１、ｆ３とすると、疑似信号の相互相関ｈは数１で表わされる。
【数１】
0005683232.tif 000002
【００２１】
ここで、Ｔは単一な対象からの光音響波信号の時間的幅である。また、τは−ｔ１からｔ１までの値をとる。ｔ１は信号６と信号７内の光音響信号の位相がずれる最大の時間である。この相関ｈが最も高くなった時間τの２倍値が信号ずれ時間Δｔであり、疑似信号の時間ｔ０に生成される値ｋ（ｔ０）は数２のように計算される。
【数２】
0005683232.tif 000003
【００２２】
そして、疑似信号はｔ０を必要分変化させて生成する。
ここでは信号６、７の中間地点に抜け素子があるとしたが、抜け素子が信号６、７の中間にない場合、例えば図２（ｂ）のＣＨ．３とＣＨ．５を用いてＣＨ．４位置の疑似信号を作成する場合、数１は、数３のようになる。
【数３】
0005683232.tif 000004
【００２３】
ここで関数ｆ３はＣＨ．３の信号、関数ｆ５はＣＨ．５の信号とする。このときの時間のずれΔｔは３τとなり、疑似信号は数４のようになる。
【数４】
0005683232.tif 000005
【００２４】
この際の時間ずれの最大値ｔ１と単一光吸収体からの時間的信号幅Ｔの値は以下のように決定することが望ましい。      
【００２５】
被検体の音速をｖ、超音波探触子長辺の長さをＡ、探触子と被検体中にある吸収体との距離をＬ、信号を持つ素子間の幅をｓ、疑似信号の時間をｔ０とすると、時間差ｔ１は数５のように計算できる。
【数５】
0005683232.tif 000006
なお、Ｌは数６のように示される。
【数６】
0005683232.tif 000007
【００２６】
単一の光吸収体からの信号時間幅Ｔは探触子の中心周波数と探触子の応答関数と光吸収体の大きさ、被検体内の音速によって決められるが、典型的には中心周波数の逆数の２−４倍程度である。
【００２７】
また、図２（ａ）に示されるＣＨ．６の素子信号の抜けを補間する疑似信号を生成するためには、例えばＣＨ．１とＣＨ．５の素子を用いることができる。この場合は、数１、数２で、ｆ３をＣＨ．５の信号であるｆ５に置き換えればよい。すなわち、生成される疑似信号ｋ’（ｔ０）は、数７のようになる。なお、Δｔ’はＣＨ．１の信号ｆ１とＣＨ．５の信号ｆ５との相関が最も高くなった時間の２倍値である。
【数７】
0005683232.tif 000008
【００２８】
また、ＣＨ．６の疑似信号は、ＣＨ．１、ＣＨ．３、ＣＨ．５、ＣＨ．７の４つの素子
信号を用いて生成することもできる。この場合には、数７で示したＣＨ．１の信号とＣＨ．５の信号から生成される疑似信号ｋ’（ｔ０）の他に、ＣＨ．３の信号ｆ３とＣＨ．７の信号ｆ７から生成される疑似信号ｋ’’（ｔ０）も用いる。このｋ’’（ｔ０）は数８に示される。なお、Δｔ’’はＣＨ．３の信号とＣＨ．７の信号との相関が最も高くなった時間の２倍値である。
【数８】
0005683232.tif 000009
【００２９】
そして、疑似信号ｋ’（ｔ０）と疑似信号ｋ’’（ｔ０）とを足し合わせて、ＣＨ．６の疑似信号を生成する。このように、より多くの信号を用いて疑似信号を生成すると疑似信号をより精度よく生成することができる。疑似信号生成部は、疑似信号を生成する探触子上の位置に応じて適切な素子信号を選択すればよい。また、生成した疑似信号から別の疑似信号を生成してもよい。
【００３０】
（信号処理部）
信号処理部１１には、探触子５からの複数の素子信号と、疑似信号生成部８で生成された疑似信号１０が入力される。信号処理部１１は、入力された信号を用いて画像再構成を行い、被検体の画像データの生成を行う。
【００３１】
画像データを生成するための画像再構成アルゴリズムとして、例えば、トモグラフィー技術で通常に用いられるタイムドメインあるいはフーリエドメインでの逆投影などが利用できる。なお、再構成に多くの時間をかけられる場合は、繰り返し処理による逆問題解析法（ｉｔｅｒａｔｉｖｅ  ｍｅｔｈｏｄ）などの画像再構成手法も利用することができる。ＰＡＴの画像再構成手法には、代表的なものとして、フーリエ変換法、ユニバーサルバックプロジェクション法やフィルタードバックプロジェクション法などがある。
【００３２】
（表示部）
信号処理部で演算された吸収係数分布を画像表示する。表示方法はＭＩＰ（Ｍａｘｉｍｕｍ  Ｉｎｔｅｎｓｉｔｙ  Ｐｒｏｊｅｃｔｉｏｎ）画像、スライス画像が考えられるが他の表示方法も適用可能である。
【００３３】
なお、ここでは光音響波診断装置の一例として医用光音響診断装置の例を示しているが、本発明は医療用以外の物体を被検査対象とする各種の超音波装置に好ましく適用可能である。
【００３４】
続いて、超音波診断装置の場合について、光音響装置を異なる点を中心に説明する。
【００３５】
（超音波診断装置の動作）
図４は、本発明に係る超音波診断装置の構成を示すブロック図である。図４に示すように、本発明に係る超音波診断装置は、測定対象となる被検体２に探触子５から超音波を送信する。被検体２内の音響散乱体１３は超音波診断装置から送信された超音波を反射する。反射された超音波は探触子５によって、電気信号に変換される。電気信号は増幅され、デジタル変換された後、疑似信号生成部８によって信号の抜け部分が補間される。その後、疑似信号と、動作素子により受信された信号を合わせたすべての信号が信号処理部によって整相加算処理され、表示部１２によって表示される。
【００３６】
超音波診断装置の場合、光音響診断装置のレーザー部は探触子５からの超音波送信に相当する。超音波探触子はパルス状のもしくは連続的な超音波を送信する。また、光音響診
断装置での光吸収体は音響散乱体に対応する。この送信超音波探触子は、受信超音波探触子５と同一でなくてもよい。
【００３７】
また、上記の説明では隣接する素子を用いて疑似信号を生成しているが、近隣の素子を２つ以上用いて疑似信号を生成することも可能である。また、上記実施形態では、素子が２次元配列された２次元探触子を上げているが、素子が１次元配列された１次元探触子を用いて疑似信号を生成することも可能である。
【００３８】
＜実施例１＞
以下、実施例では本発明の音響波処理装置を光音響診断装置に適用して、模擬検体の画像化を試みた場合について具体的に述べる。
【００３９】
レーザー光源としては、Ｎｄ：ＹＡＧレーザーを用いた。この光源から、波長１０６４ｎｍのナノ秒オーダーのパルス光を模擬検体へと照射した。  模擬検体は音速ｖが１５００ｍ／ｓの水とした。また光吸収体は、超音波探触子の前方２０ｍｍに吊るしたゴムワイヤーである。
【００４０】
超音波探触子５は、素子がある位置の隣接する素子位置には素子がないスパースアレイ探触子を選択した。この超音波探触子の大きさは３０ｍｍ×４６ｍｍ、素子幅ｄが１ｍｍ、素子間の距離ｓは２ｍｍである。よって、超音波探触子は素子を１５×２３個有している。探触子から出力される信号は３０回平均されており、アナログデジタル変換されてデジタル信号となる。サンプリング周波数は２０ＭＨｚであった。スパースアレイ探触子の素子は、図２（ａ）に示されるように、素子間に所定の空間がある形に配列されている。
【００４１】
疑似信号生成に伴う時間ずれｔ１の値は以下のように決定した。模擬検体の音速ｖが１５００ｍ／ｓ、超音波探触子の長辺長さＡが４６ｍｍ、探触子と被検体中にある吸収体との距離Ｌが２０ｍｍ、信号を持つ素子間の幅ｓが２ｍｍとすると、時間差ｔ１は数５より１．２μｓである。単一光吸収体からの信号幅Ｔは探触子の中心周波数と探触子の応答関数と光吸収体の大きさ、模擬検体の音速によって決定され、２．４μｓとした。
【００４２】
これら時間ずれｔ１と信号幅Ｔより疑似信号を生成した。その結果を図３（ａ）に示す。図３（ａ）における点線はＣＨ．１、ＣＨ．３が受信した素子信号である。ＣＨ．１とＣＨ．３の位相がずれているのが分かる。実線ＣＨ．２は、受信信号から生成した疑似信号である。
【００４３】
以上の方法を用いて図２（ａ）に示される探触子の抜けを次のように疑似信号で補間する。
ＣＨ．４の位置は、ｘ方向にＣＨ．３とＣＨ．５という動作素子に挟まれた位置であるので、この２つの素子の素子信号で補間を行った。
ＣＨ．２の位置は、ｙ方向にＣＨ．１とＣＨ．３という動作素子に挟まれた位置であるので、この２つの素子の素子信号で補間を行った。
【００４４】
そして、ＣＨ．４とＣＨ．２の位置に生成された２つの疑似信号を用いて、図２（ａ）のＣＨ．６の位置の疑似信号を生成した。あるいは、ＣＨ．６位置の疑似信号は、ＣＨ．１とＣＨ．５の位置の動作素子の素子信号を用いて生成してもよい。
その他の素子抜けについても同様に動作素子の素子信号や、疑似信号から補間できる。
【００４５】
疑似信号を生成した後、素子信号及び疑似信号を用いたタイムドメインでの逆投射法により画像再構成を行い、画像を生成した。
【００４６】
次に本発明を実施した効果について述べる。図５（ａ）は素子の抜けを補間しなかった場合のＭＩＰ（Ｍａｘｉｍｕｍ  Ｉｎｔｅｎｓｉｔｙ  Ｐｒｏｊｅｃｔｉｏｎ）画像で表示した吸収係数分布を示す。図５（ａ）では吸収体の周囲に放射状のアーチファクトが確認できる。一方、疑似信号で補間した図５（ｂ）の画像のアーチファクトは低減されている。従って素子の抜けのために出現するアーチファクトの低減効果を確認できた。
【００４７】
なお、本実施例においては超音波探触子として素子ピッチが等しいスパースアレイ探触子を用いたが、素子抜けが等間隔でない場合、また素子抜けの間隔が素子よりも大きい場合、小さい場合においても同様の効果を得ることが可能である。
【００４８】
＜実施例２＞
実施例１においては、意図的に規則的な素子抜けを作ったスパースアレイ探触子について説明した。本実施例においては、動作不良素子のために素子抜けがある探触子を持つ超音波装置を例として説明する。その他の構成は実施例１と同様であるため、以下では実施例１と異なる部分を中心に説明を行う。
【００４９】
本実施例における超音波探触子は、実施例１と同様大きさは３０ｍｍ×４６ｍｍ、素子幅ｄは２ｍｍ、素子間の距離ｓも２ｍｍであり、超音波探触子は素子を１５×２３個有している。この探触子は動作不良素子をもち、動作不良素子は全体のチャンネル中２６％を占めている。
光吸収体は、ｙ方向に並行に配置され、探触子から４５ｍｍはなれたところ（Ｌ＝４５ｍｍ）にあるゴムワイヤーである。模擬検体はひまし油であり、音速ｖは１４００ｍ／ｓである。
【００５０】
疑似信号生成部は、動作不良素子位置と動作素子位置を記録しているメモリ９を参照し、不良素子位置の疑似信号を生成するために必要な近接する動作素子を選択する。具体的には、まず、図２（ｂ）に示すように動作不良素子ＣＨ．２については、ｘ方向に近接した動作素子ＣＨ１、ＣＨ３を選んだ。ＣＨ１、ＣＨ３の素子信号の相関をとり、疑似信号を生成し、補間した。
【００５１】
その他の動作不良素子についても同様に補間を行った。その際、ｘ方向の近接に動作素子がない場合はｙ方向の近接素子を用い疑似信号を生成した。この時、単一光吸収体からの信号幅Ｔを２．４μｓ、ずれ時間ｔ１を２．０μｓとし相関を計算した。
【００５２】
ＣＨ．４のｙ方向のように近接する位置に動作素子がない場合は、ＣＨ．３とＣＨ．５の位置にある素子信号を用いて疑似信号を生成した。
図３（ｂ）にＣＨ．３の位置について、ＣＨ．５、ＣＨ．４の位置の素子信号から生成した疑似信号の信号形状を示す。ＣＨ．３とＣＨ５の光音響信号のＣＨ．５寄りにＣｈ．４の信号が生成されていることが分かる。
【００５３】
また、動作不良素子ＣＨ．６のように探触子のｘ方向の端に素子がある場合には、ｙ方向に動作不良素子を挟む動作素子の素子信号を用いればよい。あるいは、ＣＨ．６に対してｘ方向に同じ位置関係にあるＣＨ．７、ＣＨ．８の素子信号を用いて疑似信号を生成することも可能である。図３（ｃ）に、ＣＨ．７とＣＨ．８の素子信号から生成したＣＨ．６の位置の疑似信号の信号形状を示す。点線で示されるＣＨ．７とＣＨ．８の光音響信号よりも早い時間に、実線で示されるＣＨ．６の信号が生成されることが分かる。
【００５４】
疑似信号を生成した後、素子信号及び疑似信号を用いたタイムドメインでの逆投射法により画像再構成を行い、画像を生成した。
【００５５】
本発明を実施した効果について次に説明する。疑似信号を用いて取得し、ＭＩＰ画像で表示した画像を図６（ａ）に、信号を補間しなかった画像を図６（ｂ）に示す。図６（ａ）の画像は光吸収体から放射状にアーチファクトが出ており、縦につながっているゴムワイヤーが切れている画像になっている。しかし、図６（ｂ）の画像には放射状のアーチファクトはなく、ゴムワイヤーもつながって見える。これによって、動作不良素子のために出現するアーチファクトの低減を確認できた。
【符号の説明】
【００５６】
２：被検体，５：探触子，８：疑似信号生成部，１０：疑似信号，１１：信号処理部
【図１】
0005683232.tif 000010
【図２】
0005683232.tif 000011
【図３】
0005683232.tif 000012
【図４】
0005683232.tif 000013
【図５】
0005683232.tif 000014
【図６】
0005683232.tif 000015
【図７】
0005683232.tif 000016